【事件の表示】
　特願２００２−５７０５０３「インターネットプロトコルレイヤーにおける低オーバーヘッド移動度管理プロトコルのための方法およびシステム」拒絶査定不服審判事件〔平成１４年　９月１２日国際公開、ＷＯ０２／７１７１８、平成１６年　９月３０日国内公表、特表２００４−５３０３２７〕について、次のとおり審決する。
【結　論】
　本件審判の請求は、成り立たない。
【理　由】
１．手続の経緯
　本願は、２００２年２月１４日（優先権主張２００１年２月２１日、米国）の国際出願であって、原審において平成２０年８月２７日付けで拒絶査定がなされ、これに対し同年１２月１日に審判請求がなされたものであり、
　当審において、平成２３年１月１９日付けで拒絶理由が通知され、これに対し同年６月２１日付けで意見書および手続補正書が提出されたものである。
　
　
２．本願発明
　本件出願の請求項に係る発明は、平成２３年６月２１日付けで補正された明細書及び図面の記載からみて、その特許請求の範囲の請求項１〜２２に記載されたとおりのものであるところ、その請求項１の記載は次のとおりである。
　
（本願発明）
　「　　【請求項１】
　移動通信装置であって、
　各ルータが、独自のインターネットプロトコル（ＩＰ）アドレスと、アクセスルータ（ＡＲ）がデータを伝達する地理的アクセス範囲とを有するアクセスルータ（ＡＲ）であるネットワークのルータと無線で通信する手段と、
　独自のホスト名と、ホームルータとの関連付けを反映するホームネットワーク識別子（ＨＮＩ）とを格納する手段と、
　前記移動通信装置が第１のルータ経由で通信を行う第１の位置から第２のルータ経由で通信を行う第２の位置に移動する場合に、前記移動通信装置の第２の位置に相当する通信アドレスとしての第２の異なるルータの通信アドレスを前記ホームルータのモバイルノード位置リストに対して伝達することにより、前記ホームネットワーク識別子（ＨＮＩ）および独自のホスト名を使用することによって前記第２の位置の前記移動通信装置に伝達される発信ノード（ＣＮ）からのデータ通信に、前記移動通信装置の現在の位置に相当する通信アドレスを判別するために前記ホームルータのモバイルノード位置リストにアクセスすることを可能にさせる伝達手段と
　を備えることを特徴とする移動通信装置。」
　
　
３．引用例に記載された発明
　
Ａ．当審で通知した拒絶理由に引用した、特開平１０−１１７２０７号公報（以下、「引用例」という。）には、「モバイル端末接続方法およびネットワーク用ルータ」として、図面とともに以下の記載がある。
　
イ．「【請求項１】構外では無線式電話機能、構内では無線式内線機能を持つ携帯型電話を内蔵した携帯型端末と、構内の無線式内線を接続のためのセル局を有するローカルエリアネットワーク間を接続するルータと、ＬＡＮに接続されたパーソナルコンピュータからなるシステムにおいて、仮想アドレスと呼ぶどのネットワークに接続しても変化しない固定のアドレスを持つ上記携帯型端末が定期的に発信する位置登録信号をルータで受けることにより、上記携帯型端末がどのルータの配下に内線式無線機能で接続されているかを認識するとともに、他のネットワークと接続するためのルータへ上記携帯型端末の接続位置情報を通知し、上記携帯型端末へのルーティング情報の更新を行い、ネットワーク上のパーソナルコンピュータや他の携帯型端末から上記携帯型端末への接続を確立可能とすることを特徴とするモバイル端末接続方法。」（２頁１欄）
　
ロ．「【０００１】
【発明の属する技術分野】本発明は、構外では無線式電話機能、構内では無線式内線機能を持つ携帯型電話を内蔵した携帯型端末をデータ通信用ネットワークに接続する際、その所在に関係なくどこにあっても、他のネットワーク上の任意のＰＣ（パーソナルコンピュータ）や携帯型端末から上記携帯型端末とデータ通信路を確立可能とするモバイル端末接続方法およびネットワーク用ルータに関する。
【０００２】
【従来の技術】近年、構外では無線式電話機能、構内では無線式内線電話機能を持つ携帯型電話が増えている。また、携帯型端末を持ち歩き、任意の地点からネットワークに接続する機会が増えている。
【０００３】以下に従来の携帯型端末におけるネットワークへの接続方法について説明する。従来の携帯型端末は、構内では、ネットワークに接続しているＰＣ等に直接接続して、ＰＣを経由してネットワークの情報にアクセスしている。また、構外にあるときは、モデムを使用して、電話機、または、携帯電話機等を通じて、まずネットワーク上に接続されたモデムを持つリモートアクセスサーバに接続し、このリモートアクセスサーバの一端末としてネットワークに接続している。
【０００４】
【発明が解決しようとする課題】しかしながら、上記の従来の接続方法では、携帯型端末をネットワークに接続する際、構内においては、物理的な接続が必要となり、また、移動の度に接続先のネットワークによって与えられるアドレスが異なるため、移動後の携帯型端末に他のネットワーク上のＰＣ等から接続する際、接続先アドレスを移動の度に変更する必要があるという問題を有している。さらに、構内にいる時と構外にいる時とで、接続先がネットワーク上のアドレスなのか、現在接続されている電話の番号なのかを意識的に認識し接続方法を変える必要があるという問題も有している。
【０００５】本発明は、上記した課題に鑑み、携帯型端末とルータとＰＢＸからなるネットワークシステムにおいて、任意の地点の携帯型端末とネットワーク上のＰＣ等との間で、相互にデータ通信路を確立するモバイル端末接続方法およびネットワーク用ルータを実現することを目的とする。
【０００６】
【課題を解決するための手段】この課題を解決するために本発明は、移動しても変わらない仮想的なアドレスを移動する携帯型端末に付与する。この仮想アドレスと実際のネットワークの管理下に入って接続するときのＬＡＮアドレスとの対応を各ルータが持つ仮想アドレス変換テーブルで管理する。また、ＬＡＮアドレスと構内の無線型内線電話用のチャネルとの対応を携帯端末位置登録情報テーブルで管理し、各ルータに内蔵する。以上により、任意の時点で携帯型端末がいる位置と接続しようとする際にルーティングすべきルータ、および、ルーティング先ルータで、実際の携帯型端末に接続する際の呼び出しチャネル等を得ることができ、任意のＰＣ等から、任意の位置の携帯型端末に接続し、通信路を確立することができる。
【０００７】携帯型端末が構内にないとき、各ルータにはその携帯型端末への仮想アドレスからＬＡＮアドレスへの変換情報が格納されておらず、携帯型端末の仮想アドレスのみを使用して、携帯型端末が元々所属するネットワークへルーティングされる。このネットワークをホームルータと称し、ここに接続されるルータには、仮想アドレスから携帯型端末が内蔵する無線型携帯電話の番号情報を持っており、このルータから接続先携帯型端末へ無線型携帯電話で接続し、通信路を確立することができる。
【０００８】この発明によれば、ネットワークシステムにおいて、任意の地点の携帯型端末とネットワーク上のＰＣ等との間で、相互にデータ通信路を確立する方法を実現することができる。」（２頁２欄〜３頁３欄）
　
ハ．「【００１５】（実施の形態１）以下本発明の実施の形態１について、図面を参照しながら説明する。図１において、１０１はネットワークを接続するルータ、１２０はルータ１０１が接続するネットワークをホームネットワークとする携帯端末である。１３０は広域通信網として接続する公衆網である。
【００１６】ルータ１０１において、１０２は携帯端末１２０の仮想アドレスと携帯型電話の番号の対応を管理する仮想アドレス管理テーブルである。１０３は仮想アドレスとＬＡＮアドレスの対応を管理する仮想アドレス変換テーブルである。１０４は、携帯端末１２０がルータ管理下にある時、ＬＡＮアドレスと携帯端末接続チャネルとの対応を管理する携帯端末位置登録情報テーブルである。１０５は仮想アドレス管理、変換の処理を行う仮想アドレス処理部である。１０６はＬＡＮのプロトコル上で接続経路の制御を行うルーティング処理部である。１０７は接続先により異なるプロトコル処理の振り分けを行う下位層インタフェースである。１０８はＬＡＮのプロトコル処理部、１０９はＬＡＮ側のハードウェア制御を司るＬＡＮ物理層である。１１０は公衆通信回線等の広域通信網（以下ＷＡＮと呼ぶ）のプロトコル、１１１はＷＡＮ側のハードウェア制御を行うＷＡＮ物理層である。１１２は携帯端末接続用のデータ通信プロトコル、１１３は携帯端末側のハードウェア制御を司る携帯端末物理層である。
【００１７】携帯端末１２０において、１２１は携帯端末上のアプリケーション、１２２はネットワークの通信プロトコル、１２３は携帯端末接続用のデータ通信プロトコル、１２４は携帯端末接続用のハードウェア制御を行う携帯端末物理層である。
【００１８】図２は、前述のルータを使ってネットワークを接続した場合において、構内を移動する携帯端末の接続経路を示すものである。２０１および２１１は前述のルータ１０１と同様な構成を持つルータであり、ルータ２０１は１階のネットワークと基幹ネットワークを接続するものとし、以下ルータＡ（２０１）とする。またルータ２１１は２階のネットワークと基幹ネットワークを接続するものとし、以下ルータＢ（２１１）とする。
【００１９】２０２、２０３、２０４は１階のネットワークにつながるパーソナルコンピュータ（以下ＰＣと略す）である。２０５は携帯端末であり、ここでは携帯端末２０５のホームネットワークを１階のネットワークとする。また、２１２、２１３、２１４は２階のネットワークにつながるパーソナルコンピュータ（以下ＰＣと略す）である。図２は１階にあった携帯端末２０５が２階に移動した場合の様子を示している。
【００２０】図３は、１階のルータＡ（２０１）および２階のルータＢ（２１１）の仮想アドレス変換テーブルと携帯端末位置登録情報テーブルが、携帯端末の移動に応じて変化する様子を示した図である。
【００２１】仮想アドレスとは、ホームネットワークの識別子と、ホームネットワーク上の端末に割り当てられたホスト識別子から成り、各携帯端末に個別に付与され、その携帯端末固有のアドレスとして携帯端末内のメモリに記憶されている。
【００２２】携帯端末がホームネットワークの中に在る時、この仮想アドレスとＬＡＮアドレスは等しくなる。図２の例では、携帯端末２０５の仮想アドレスは、そのホームネットワーク識別子が「Ｎ１」、ホスト識別子が「４」であるから、「Ｎ１．４」となり、ルータＡ（２０１）の仮想アドレス変換テーブルには仮想アドレス：「Ｎ１．４」に対応するＬＡＮアドレスの項目にも同じ「Ｎ１．４」が格納されている。
【００２３】まず、携帯端末２０５がそのホームネットワークである１階に在り、１階および２階の各ルータＡ，Ｂの各テーブルは図３（ａ）に示す３０１ａ〜３０４ａの様になっているものとする。この時、１階に在るＰＣ（２０２）から携帯端末２０５に接続しようとするとき、ルータＡ（２０１）はＰＣ（２０２）からの接続依頼に基づいて携帯端末２０５に対して無線信号を発信する。この際、ルータＡ（２０１）は仮想アドレス変換テーブル（３０１ａ）の情報から携帯端末２０５が自分の管理下にあることを認識し、次に携帯端末位置登録情報テーブルの情報から携帯端末２０５が接続しているチャネル番号を取得し、このルータＡ（２０１）から携帯端末（２０５）へ無線接続する。以上により、接続経路２２２が確立される。
【００２４】ここで携帯端末２０５が２階へ移動したとすると、この移動に伴い、ルータＡ（２０１）の携帯端末位置登録情報テーブルから携帯端末に割り当てられているチャネル番号がなくなり（３０２ｂ）、移動先の２階のルータＢ（２１１）に携帯端末２０５の位置登録が行われ、図３（ｂ）に示すようにルータＢ（２１１）の中の携帯端末位置登録情報テーブルに新しく割り当てたチャネル番号が格納される（３０４ｂ）。
【００２５】また、この登録と同時に、新しいＬＡＮアドレスが割り当てられる。すなわち２階のネットワーク識別子「Ｎ２」とホスト識別子「５」から成るアドレス「Ｎ２．５」が割り当てられ、図３（ｂ）に示すようにルータＢ（２１１）の仮想アドレス変換テーブルのＬＡＮアドレスの項目に「Ｎ２．５」が格納される（３０３ｂ）。
【００２６】さらに、このＬＡＮアドレスと携帯端末の仮想アドレスの対応を基幹ＬＡＮを介して１階のルータＡ（２０１）を含む他のルータへも通知する。従って図３（ｂ）に示すように、１階のルータＡ（２０１）の仮想アドレス変換テーブルでは仮想アドレス：「Ｎ１．４」に対応するＬＡＮアドレスの項目が「Ｎ２．５」に書き変えられ（３０１ｂ）、このようにルータＡ（２０１）でも新しい対応が登録されることになる。
【００２７】この状況で、先ほどと同じく、１階のＰＣ（２０２）が携帯端末２０５に接続を行う場合、まずルータＡ（２０１）において、仮想アドレス「Ｎ１．４」からＬＡＮアドレス「Ｎ２．５」へ変換が行われ（３０１ｂ）、ネットワーク識別子「Ｎ２」が示す２階のネットワークへルーティングされる。２階のルータＢ（２１１）では、自ルータの管理下に接続先携帯端末２０５が存在することを認識し、携帯端末位置登録情報テーブル（３０４ｂ）の情報からＬＡＮアドレスが「Ｎ２．５」に対応している携帯端末はチャネル「０」にて接続可能であることを知る。以上により、接続経路２２３が確立される。」（４頁５欄〜５頁８欄）
　
　
　上記引用例の記載及び関連する図面ならびにこの分野における技術常識を考慮すると、
　まず、上記引用例記載の「モバイル端末」である「携帯端末」（図１の１２０，図２の２０５）は、携帯端末としては当然の構成であるが、上記イ．に「無線式」とあり、図２のアンテナの記号からも明らかなように、公衆網やＬＡＮなどのネットワークとの通信接続のために「ルータ」（図１の１０１，図２のルータＡ（２０１）、ルータＢ（２１１））と『無線で通信する手段』を有するものである。
　
　また、上記ハ．【００２１】にあるように、引用例記載の「携帯端末」は、「ホームネットワークの識別子と、ホームネットワーク上の端末に割り当てられたホスト識別子」から成る「仮想アドレス」（図３の「Ｎ１．４」）を、「その携帯端末固有のアドレスとして携帯端末内のメモリに記憶」しているものであり、
　上記ハ．【００２３】に「携帯端末２０５がそのホームネットワークである１階に在り」とあって、【００２０】に「１階のルータＡ（２０１）」とあるように、「ルータＡ（２０１）」は「携帯端末２０５」のホームネットワークのルータ、すなわち『ホームルータ』ということができ、「携帯端末２０５」は「ホームネットワーク識別子」により『ホームルータＡ（２０１）』と『関連付け』られているものである。
　
　また、上記ハ．【００２４】〜【００２７】および図２、３には、「携帯端末２０５が２階へ移動した」場合の説明があり、
　ここで移動前には、前述のように「携帯端末２０５」は「そのホームネットワークである１階に在り」、『ホームルータＡ（２０１）』経由で通信（図２の「接続経路２２２」）を行っており、
　２階に移動後には、移動先の別の異なるルータである「２階のルータＢ（２１１）」経由で通信（図２の「接続経路２２３」）を行うことになる。
　
　また、この移動の際には、「携帯端末２０５」には、「２階のネットワーク識別子「Ｎ２」とホスト識別子「５」」から成る「新しいＬＡＮアドレス」（「Ｎ２．５」）が割り当てられ（上記ハ．【００２５】）、
　「【００２６】さらに、このＬＡＮアドレスと携帯端末の仮想アドレスの対応を基幹ＬＡＮを介して１階のルータＡ（２０１）を含む他のルータへも通知する。従って図３（ｂ）に示すように、１階のルータＡ（２０１）の仮想アドレス変換テーブルでは仮想アドレス：「Ｎ１．４」に対応するＬＡＮアドレスの項目が「Ｎ２．５」に書き変えられ（３０１ｂ）、このようにルータＡ（２０１）でも新しい対応が登録されることになる。」とあるから、
　「新しいＬＡＮアドレス」（「Ｎ２．５」）は、『前記携帯端末２０５の２階の位置に相当するＬＡＮアドレス』として前記『ホームルータＡ（２０１）』の「仮想アドレス変換テーブル」に対して『伝達』されるということができる。
　
　そして、「この状況で、先ほどと同じく、１階のＰＣ（２０２）が携帯端末２０５に接続を行う場合、まずルータＡ（２０１）において、仮想アドレス「Ｎ１．４」からＬＡＮアドレス「Ｎ２．５」へ変換が行われ（３０１ｂ）、ネットワーク識別子「Ｎ２」が示す２階のネットワークへルーティングされる。」（上記ハ．【００２７】）とあり、
　ここで、「１階のＰＣ（２０２）が携帯端末２０５に接続を行う場合」とは、引用例図２の「接続経路２２３」の通信接続であるが、この接続経路は『２階の前記携帯端末２０５に伝達される１階のＰＣ（２０２）からのデータ通信』の経路であり、
　該『データ通信』が、通信の相手先アドレスとして携帯端末２０５の「仮想アドレス「Ｎ１．４」」すなわち「ホームネットワーク識別子およびホスト識別子」を使用することによって行われるものであることも上記「変換」の過程から明らかであり、
　「仮想アドレス「Ｎ１．４」からＬＡＮアドレス「Ｎ２．５」」への該「変換」が、前記『ホームルータＡ（２０１）』の「仮想アドレス変換テーブル」（図３の３０１ｂ）に『アクセスする』ことによりなされるのも自明であり、
　該「変換」が、結果として『前記携帯端末２０５の現在の位置に相当するＬＡＮアドレス「Ｎ２．５」を判別』するために行われると言えるから、
　結局、「携帯端末２０５」は、『前記ホームネットワーク識別子およびホスト識別子を使用することによって前記２階の前記携帯端末２０５に伝達される１階のＰＣ（２０２）からのデータ通信に、前記携帯端末２０５の現在の位置に相当するＬＡＮアドレスを判別するために前記ホームルータＡ（２０１）の仮想アドレス変換テーブルにアクセスすることを可能にさせる伝達手段』を備える、ということができる。
　
　したがって、上記引用例には以下の発明（以下、「引用発明」という。）が開示されている。
　
（引用発明）
「　携帯端末２０５であって、
　ネットワークのルータと無線で通信する手段と、
　ホスト識別子と、ホームルータＡ（２０１）との関連付けを反映するホームネットワーク識別子とを記憶するメモリと、
　前記携帯端末２０５がホームルータＡ（２０１）経由で通信を行う１階からルータＢ（２１１）経由で通信を行う２階に移動する場合に、前記携帯端末２０５の２階の位置に相当するＬＡＮアドレスを前記ホームルータＡ（２０１）の仮想アドレス変換テーブルに対して伝達することにより、前記ホームネットワーク識別子およびホスト識別子を使用することによって前記２階の前記携帯端末２０５に伝達される１階のＰＣ（２０２）からのデータ通信に、前記携帯端末２０５の現在の位置に相当するＬＡＮアドレスを判別するために前記ホームルータＡ（２０１）の仮想アドレス変換テーブルにアクセスすることを可能にさせる伝達手段と
　を備えることを特徴とする携帯端末２０５。」
　
　
４．対比・判断
　本願発明と上記引用発明を対比する。
　まず、引用発明の「携帯端末２０５」は、１階から２階へ移動可能な通信装置であるから「移動通信装置」であって、
　引用発明の「ホスト識別子」と本願発明の「独自のホスト名」を対比すると、本願発明の「ホスト名」もホストを識別する識別子の一種であるから、両者は「ホスト識別子」の点で一致し、
　引用発明の「記憶するメモリ」は「格納する手段」であり、
　引用発明の「ホームルータＡ（２０１）」は「ホームルータ」であって、これを「第１のルータ」というのは任意であり、
　引用発明の「ルータＢ（２１１）」は、前記「ホームルータ」を「第１のルータ」とした場合、「第２の（異なる）ルータ」ということができ、
　引用発明の「１階」、「２階」は、それぞれ「第１の位置」、「第２の位置」ということができ、
　引用発明の「ＬＡＮアドレス」は、通信に用いられるアドレスであるから「通信アドレス」である。
　また、引用発明の「仮想アドレス変換テーブル」と本願発明の「モバイルノード位置リスト」を対比すると、
　本願発明の「モバイルノード位置リスト」も、本願明細書【００３６】に「ノード位置表（ＮＬＴ）と呼ぶテーブル」とあるようにテーブルであって、本願図２の表３０にあるように「Node Name」（ノード名（ホスト名））を「Current IP Address」（現在位置のＩＰアドレス）に対応させ変換するものであるから、両者は「変換テーブル」の点で一致する。
　そして、引用発明の「１階のＰＣ（２０２）」は、通信網（ネットワーク）における節点（ノード）として発信も受信も行うのは技術常識であるが、引用例の上記ハ．【００２７】に「１階のＰＣ（２０２）が携帯端末２０５に接続を行う場合」として最初に通信接続を開始する、すなわち「発信」することが記載され、引用例図２の「接続経路２２３」の矢印にも「１階のＰＣ（２０２）」が発信側であることが示唆されているから、本願発明の「発信ノード（ＣＮ）」に相当する。
　したがって、両者は以下の点で一致し、また相違している。
　
（一致点）
「　移動通信装置であって、
　ネットワークのルータと無線で通信する手段と、
　ホスト識別子と、ホームルータとの関連付けを反映するホームネットワーク識別子とを格納する手段と、
　前記移動通信装置が第１のルータ経由で通信を行う第１の位置から第２のルータ経由で通信を行う第２の位置に移動する場合に、前記移動通信装置の第２の位置に相当する通信アドレスを前記ホームルータの変換テーブルに対して伝達することにより、前記ホームネットワーク識別子およびホスト識別子を使用することによって前記第２の位置の前記移動通信装置に伝達される発信ノードからのデータ通信に、前記移動通信装置の現在の位置に相当する通信アドレスを判別するために前記ホームルータの変換テーブルにアクセスすることを可能にさせる伝達手段と
　を備えることを特徴とする移動通信装置。」
　
（相違点１）
　「移動通信装置」の「ネットワークのルータと無線で通信する手段」が通信する「ルータ」に関し、
　本願発明は「各ルータが、独自のインターネットプロトコル（ＩＰ）アドレスと、アクセスルータ（ＡＲ）がデータを伝達する地理的アクセス範囲とを有するアクセスルータ（ＡＲ）である」のに対し、引用発明では不明である点、
　
（相違点２）
　「移動通信装置」の「ホスト識別子」が、本願発明では「独自のホスト名」であるのに対し、引用発明では単に「ホスト識別子」である点。
　
（相違点３）
　「ホームルータの変換テーブルに対して伝達」される「移動通信装置の第２の位置に相当する通信アドレス」に関し、
　本願発明では「移動通信装置の第２の位置に相当する通信アドレスとしての第２の異なるルータの通信アドレス」であるのに対し、引用発明では単に「携帯端末２０５の２階の位置に相当するＬＡＮアドレス」である点。
　
（相違点４）
　「ホームルータ」の「変換テーブル」に関し、本願発明は「モバイルノード位置リスト」であるのに対し、引用発明は「仮想アドレス変換テーブル」である点。
　
　まず、上記相違点１の「ルータ」に関し、「各ルータが、独自のインターネットプロトコル（ＩＰ）アドレスと、アクセスルータ（ＡＲ）がデータを伝達する地理的アクセス範囲とを有するアクセスルータ（ＡＲ）である」点について検討する。
　そもそも、「インターネットプロトコル（ＩＰ）」に基づく通信は、近年のネットワークにおける基本技術であって、「インターネットプロトコル（ＩＰ）」に基づくネットワークを構成する端末やルータを含むすべてのノードには、各々の識別のため「独自のインターネットプロトコル（ＩＰ）アドレス」が割り当てられていることは技術常識であり、当審の拒絶理由通知にも挙げた、特開平１０−０５１４４９号公報（【００２０】等参照。以下、「周知例１」という）、特開２０００−０９２５６２号公報（【０００２】等参照。以下、「周知例２」という）にも記載のある周知のことである。
　また、「アクセスルータ（ＡＲ）」とはルータの一種であって、端末がネットワークにアクセスする際の経路となるルータであるが、引用発明のルータも引用例図１，２にあるように、同様なアクセス経路に位置するものであるから、「アクセスルータ」とも称することができるものであり、これらのルータが端末と無線接続するに際しては、電波の届く範囲などの「地理的アクセス範囲」を有することも自明なことに過ぎず、これらの観点によれば相違点１は格別のものではない。
　
　ついで、上記相違点２の「移動通信装置」の「ホスト識別子」が、本願発明では「独自のホスト名」である点について検討する。
　引用発明の「ホスト識別子」は、引用例の構成においては「ホームネットワーク識別子」とともに、「携帯端末」の「仮想アドレス」の一部を構成するものであるが、通信におけるこのようなアドレスが、一時的なものにせよ恒久的なものにせよ、その使用される範囲において、当該通信装置（携帯端末）を他の通信装置（端末、ノード）と識別可能な『独自の』ものである必要があるのは当然のことである。
　本願明細書中には本願発明の「ホスト名」が「独自の」ものである旨の記載は見あたらないが、通信アドレスとしての独自性を、そのアドレス構成要素の一部である「ホスト名」のみで確保することも、「ホームネットワーク識別子」をも含めたアドレス全体として確保することも適宜のことであり、また、ホストの「識別子」を、同様な識別力のある「名前」とするのも適宜のことであるから、「ホスト識別子」を「独自のホスト名」とした相違点２も格別のものではない。
　
　ついで、相違点３の「変換テーブル」に伝達される「移動通信装置の第２の位置に相当する通信アドレス」に関し、
　本願発明では「移動通信装置の第２の位置に相当する通信アドレスとしての第２の異なるルータの通信アドレス」である点に関して検討する。
　引用発明の「携帯端末２０５の２階の位置に相当するＬＡＮアドレス」は、引用例ハ．【００２５】の記載によれば具体的には「Ｎ２．５」であり、この「ＬＡＮアドレス」は２階に移動した「携帯端末２０５」自身を特定するものであるが、
　「１階のＰＣ（２０２）が携帯端末２０５に接続を行う場合」（引用例図２の「接続経路２２３」）には、その「ネットワーク識別子」（Ｎ２）が示す２階のネットワークの「ルータＢ（２１１）」（第２の異なるルータ）をも経由するものであり、該「ルータＢ（２１１）」（第２の異なるルータ）は、「自ルータの管理下に接続先携帯端末２０５が存在することを認識」する（引用例ハ．【００２７】）のであるから、「移動通信装置の第２の位置に相当する通信アドレス」としては「第２の異なるルータの通信アドレス」をホームルータに伝えておけば充分であることは明らかである。
　したがって、「移動通信装置の第２の位置に相当する通信アドレスとしての第２の異なるルータの通信アドレス」とした点も、引用例の記載から当業者であれば容易に想到可能なものであり、相違点３も格別のことではない。
　
　最後に、相違点４の「変換テーブル」に関し、本願発明は「モバイルノード位置リスト」である点に関して検討する。
　引用発明の「仮想アドレス変換テーブル」は、例えば引用例図３にあるように携帯端末（モバイルノード）固有のアドレスである「仮想アドレス」を、当該携帯端末（モバイルノード）が実際に位置するＬＡＮのアドレスに変換するテーブルであるが、本願明細書【００３６】にもあるように「テーブル」も「リスト」であるから、当該携帯端末（モバイルノード）が実際に位置するアドレスを示す「リスト」であって、「モバイルノード位置リスト」ということができるものである。
　また、別の観点によれば、引用例記載の発明は「仮想アドレス変換テーブル」に加えて携帯端末（モバイルノード）の位置登録を行う「携帯端末位置登録情報テーブル」（引用例図１の１０４，図３の３０２ｂなど）も対として併せ持つものであるから、これらのテーブルをまとめてリストとなして「モバイルノード位置リスト」ということも適宜である。
　したがって、相違点４も格別のことではない。
　
　そして、本願発明の効果も上記引用発明および周知技術から当業者が予測し得る範囲のものであり、当審の拒絶理由通知に対する意見書における審判請求人の主張も、これらの認定を覆すものではない。
　
　
５．むすび
　以上のとおり、本願発明は、引用発明および周知技術に基づいて当業者が容易に発明をすることができたものであるから、特許法第２９条第２項の規定により特許を受けることができない。
　
　よって、結論のとおり審決する。